(57)【特許請求の範囲】
【請求項１】
複数の静止画像を出力する出力装置であって、
前記複数の静止画像の各々を、画像効果または出力時間が指定された所定の出力態様で出力した後、更に画像効果または切替時間が指定された所定の切替態様で次の静止画像の出力に切り替えるようにして順次出力する出力手段と、  前記出力手段により順次出力される各々の静止画像について、他の静止画像との関連性を判別する関連性判別手段と、
前記関連性判別手段により判別された他の静止画像との関連性に基づき、前記出力手段により各静止画像を出力する際の前記出力態様と前記切替態様との組み合わせを特定する出力態様特定手段と、  を備えることを特徴とする出力装置。
【請求項２】
前記関連性判別手段は、前記出力手段により順次出力される各々の静止画像について、他の静止画像との関連性の度合いを判別し、
前記出力態様特定手段は、前記関連性判別手段により判別された他の静止画像との関連性の度合いに基づき、前記出力手段により各静止画像を出力する際の画像効果の強度と再生時間または切替時間の長さの組み合わせを特定することを特徴とする請求項１に記載の出力装置。
【請求項３】
前記複数の静止画像の各々の時間情報を取得する時間情報取得手段を、更に備え、
前記関連性判別手段は、前記他の静止画像との関連性の度合いとして、前記時間情報取得手段により取得された互いの静止画像の時間情報の時間的な差の大きさを判別することを特徴とする請求項２に記載の出力装置。
【請求項４】
前記関連性判別手段は、前記他の静止画像との関連性の度合いとして、前記出力手段による出力順序が隣り合う２つの静止画像の時間情報の時間的な差の大きさを判別することを特徴とする請求項３に記載の出力装置。
【請求項５】
前記関連性判別手段は、前記他の静止画像との関連性の度合いとして、特定の静止画像を基準に各静止画像との時間情報の時間的な差の大きさを判別することを特徴とする請求項３に記載の出力装置。
【請求項６】
前記関連性判別手段は、前記時間情報の時間的な差の大きさを判別する対象となる他の静止画像が存在しない静止画像の場合、所定の方法で算出された値を当該時間的な差の大きさとして判別することを特徴とする請求項４又は５に記載の出力装置。
【請求項７】
前記出力態様特定手段は、前記関連性判別手段により判別された前記時間情報の時間的な差の大きさに応じて、前記出力態様を特定することを特徴とする請求項３〜６の何れか一項に記載の出力装置。
【請求項８】
前記出力態様特定手段は、前記関連性判別手段により判別された前記時間情報の時間的な差の大きさに応じて、複数の静止画像の各々を出力する際の前記出力時間を特定することを特徴とする請求項７に記載の出力装置。
【請求項９】
前記出力態様特定手段は、前記関連性判別手段により判別された前記時間情報の時間的な差の大きさに応じて、複数の静止画像の各々を出力する際の前記画像効果を特定することを特徴とする請求項７又は８に記載の出力装置。
【請求項１０】
前記出力態様特定手段は、前記関連性判別手段により判別された前記時間情報の時間的な差の大きさに応じて、次の静止画像の出力に切り替る際の前記切替態様を特定することを特徴とする請求項３〜９の何れか一項に記載の出力装置。
【請求項１１】
前記出力態様特定手段は、前記関連性判別手段により判別された前記時間情報の時間的な差の大きさに応じて、次の静止画像の出力をするまでの前記切替時間を特定することを特徴とする請求項１０に記載の出力装置。
【請求項１２】
前記出力態様特定手段は、前記関連性判別手段により判別された前記時間情報の時間的な差の大きさに応じて、次の静止画像の出力に切り替る際の前記画像効果を特定することを特徴とする請求項１０又は１１に記載の出力装置。
【請求項１３】
前記時間情報取得手段は、前記複数の静止画像の各々の撮影日時に係る時間情報を取得することを特徴とする請求項３〜１１の何れか一項に記載の出力装置。
【請求項１４】
複数の静止画像を出力する出力装置であって、
複数の静止画像を、時間的に異なるタイミング又は空間的に異なる位置で出力する出力手段と、
前記出力手段による出力対象となる複数の静止画像の関連性を判別する関連性判別手段と、
前記関連性判別手段により判別された関連性に基づき、前記出力手段により複数の静止画像を出力する際に、時間的に異なるタイミングで出力させるか、又は空間的に異なる位置で出力させるか、のいずれかを特定する出力態様特定手段と、
を備えることを特徴とする出力装置。
【請求項１５】
前記複数の静止画像は、所定の条件に基づきグループ化されたものであり、
前記複数の静止画像のグループは複数種類あり、
前記グループの種類を判別するグループ判別手段を、更に備え、
前記出力態様特定手段は、前記グループ判別手段により判別されたグループの種類に基づき、出力対象となる複数の静止画像を時間的に異なるタイミングで出力させるか、又は空間的に異なる位置で出力させるか、のいずれかを特定することを特徴とする請求項１４に記載の出力装置。
【請求項１６】
前記グループには、連写により撮影された複数の静止画像をグループ化した第１グループと、ブラケットにより撮影された複数の静止画像をグループ化した第２グループと、が含まれ、
前記出力態様特定手段は、前記グループ判別手段により判別されたグループが第１グループである場合、当該グループの複数の静止画像を時間的に異なるタイミングで切り替えて順次出力する態様を特定することを特徴とする請求項１５に記載の出力装置。
【請求項１７】
前記グループ判別手段により判別されたグループが第１グループである場合、当該グループの複数の静止画像の撮影間隔情報を取得する撮影間隔情報取得手段を更に備え、
前記出力態様特定手段は、前記撮影間隔情報に基づき、前記グループの複数の静止画像の出力時間と次の静止画像へ切り替える際の切替時間のうちの少なくとも何れか一方を特定することを特徴とする請求項１６に記載の出力装置。
【請求項１８】
前記出力態様特定手段は、前記グループ判別手段により判別されたグループが第２グループである場合、当該グループの複数の静止画像の各々を空間的に異なる位置で出力する態様を特定することを特徴とする請求項１７に記載の出力装置。
【請求項１９】
前記グループ判別手段により判別されたグループが第２グループである場合、ブラケットによる撮影の当該ブラケットの次元情報を取得する次元情報取得手段を更に備え、
前記出力態様特定手段は、前記次元情報に基づき、複数の静止画像の各々の空間的な位置が異なる配置パターンを特定することを特徴とする請求項１８に記載の出力装置。
【請求項２０】
複数の静止画像の各々を、画像効果または出力時間が指定された所定の出力態様で出力した後、更に画像効果または切替時間が指定された所定の切替態様で次の静止画像の出力に切り替えるようにして順次出力する処理と、
順次出力される各々の静止画像について、他の静止画像との関連性を判別する処理と、
判別された他の静止画像との関連性に基づき、各静止画像を出力する際の前記出力態様と前記切替態様との組み合わせを特定する処理と、
を含むことを特徴とする出力制御方法。
【請求項２１】
コンピュータに、
複数の静止画像の各々を、画像効果または出力時間が指定された所定の出力態様で出力した後、更に画像効果または切替時間が指定された所定の切替態様で次の静止画像の出力に切り替えるようにして順次出力する出力機能、
前記出力機能により順次出力される各々の静止画像について、他の静止画像との関連性を判別する関連性判別機能、
前記関連性判別機能により判別された他の静止画像との関連性に基づき、前記出力機能により各静止画像を出力する際の前記出力態様と前記切替態様との組み合わせを特定する出力態様特定機能と、
を実現させることを特徴とするプログラム。
【請求項２２】
複数の静止画像を、時間的に異なるタイミング又は空間的に異なる位置で出力する処理と、
出力対象となる複数の静止画像の関連性を判別する処理と、
判別された関連性に基づき、複数の静止画像を出力する際に、時間的に異なるタイミングで出力させるか、又は空間的に異なる位置で出力させるか、のいずれかを特定する処理と、
を含むことを特徴とする出力制御方法。
【請求項２３】
コンピュータに、
複数の静止画像を、時間的に異なるタイミング又は空間的に異なる位置で出力する出力機能、
前記出力機能による出力対象となる複数の静止画像の関連性を判別する関連性判別機能、
前記関連性判別機能により判別された関連性に基づき、前記出力機能により複数の静止画像を出力する際に、時間的に異なるタイミングで出力させるか、又は空間的に異なる位置で出力させるか、のいずれかを特定する出力態様特定機能、
を実現させることを特徴とするプログラム。
【発明の詳細な説明】
【技術分野】
【０００１】
本発明は、出力装置、出力制御方法、及びプログラムに関する。
【背景技術】
【０００２】
従来、複数の静止画像を順次切り替えて表示するスライドショーの機能が広く知られている。この機能に関して、例えば、次に表示する静止画像との撮影日時の時間差を基にして、次の静止画像に切り替える際の切替パターンを異ならせるように制御する技術が開示されている（特許文献１参照）。
【先行技術文献】
【特許文献】
【０００３】
【特許文献１】特開２０１１−１６４２７７号公報
【発明の概要】
【発明が解決しようとする課題】
【０００４】
しかしながら、上記特許文献１に開示されている技術では、静止画像を切り替える際の切替パターンを異ならせているだけであるので、複数の静止画像の関係性を効果的に表示させるには不十分であった。
【０００５】
本発明は、このような問題に鑑みてなされたものであり、複数の静止画像の関係性を効果的に出力することができる出力装置、出力制御方法、及びプログラムを提供することを目的とする。
【課題を解決するための手段】
【０００６】
上記課題を解決するため、本発明に係る出力装置は、
複数の静止画像を出力する出力装置であって、
前記複数の静止画像の各々を、画像効果または出力時間が指定された所定の出力態様で出力した後、更に画像効果または切替時間が指定された所定の切替態様で次の静止画像の出力に切り替えるようにして順次出力する出力手段と、
前記出力手段により順次出力される各々の静止画像について、他の静止画像との関連性を判別する関連性判別手段と、
前記関連性判別手段により判別された他の静止画像との関連性に基づき、前記出力手段により各静止画像を出力する際の前記出力態様と前記切替態様との組み合わせを特定する出力態様特定手段と、
を備えることを特徴とする。
【発明の効果】
【０００７】
本発明によれば、複数の静止画像の関係性を効果的に出力することができる。
【図面の簡単な説明】
【０００８】
【図１】本発明を適用した一実施形態の撮像装置の概略構成を示すブロック図である。
【図２】実施形態１の撮像装置の出力態様特定テーブル及び切替態様特定テーブルの一例を示す図である。
【図３】動画像生成部により生成される動画像の概念図である。
【図４】実施形態１の撮像装置における動画像再生処理の一例を示すフローチャートである。
【図５】実施形態１の変形例の撮像装置の出力態様特定テーブル及び切替態様特定テーブルの一例を示す図である。
【図６】実施形態１の変形例の撮像装置における動画像再生処理の一例を示すフローチャートである。
【図７】実施形態２の撮像装置の概略構成を示すブロック図である。
【図８】実施形態２の撮像装置の第１出力態様特定テーブル及び第２出力態様特定テーブルの一例を示す図である。
【図９】実施形態２の撮像装置における動画像再生処理の一例を示すフローチャートである。
【図１０】実施形態２の撮像装置における空間的表示方法（方法Ａ）の一例を示す図である。
【図１１】実施形態２の撮像装置における空間的表示方法（方法Ｂ）の一例を示す図である。
【発明を実施するための形態】
【０００９】
〔実施形態１〕
以下に、本発明について、図面を用いて具体的な態様を説明する。ただし、発明の範囲は、図示例に限定されない。
【００１０】
図１は、本発明を適用した実施形態１の撮像装置１００の概略構成を示すブロック図である。
【００１１】
本実施形態の撮像装置１００は、ユーザによって選択された複数の静止画像の各々の時間情報に基づき、当該複数の静止画像の関連性を判別し、判別された当該複数の静止画像の関連性に基づき、各静止画像を出力する際の出力態様を特定し、特定された出力態様に基づき、当該複数の静止画像を切り替えて順次出力する。
【００１２】
図１に示すように、本実施形態の撮像装置１００は、中央制御部１と、メモリ２と、撮像部３と、撮像制御部４と、画像データ生成部５と、画像処理部６と、画像記録部７と、表示部８と、操作入力部９とを備えている。
また、中央制御部１、メモリ２、撮像部３、撮像制御部４、画像データ生成部５、画像処理部６、画像記録部７、及び表示部８は、バスライン１０を介して接続されている。
【００１３】
中央制御部１は、撮像装置１００の各部を制御するものである。具体的には、中央制御部１は、図示は省略するが、ＣＰＵ（Central Processing Unit）、ＲＡＭ（Random Access Memory）、ＲＯＭ（Read Only Memory）を備え、撮像装置１００用の各種処理プログラム（図示略）に従って各種の制御動作を行う。
【００１４】
メモリ２は、例えば、ＤＲＡＭ（Dynamic Random Access Memory）等により構成され、中央制御部１や撮像制御部４や画像処理部６等の各部によって処理されるデータ等を一時的に記憶するものである。
【００１５】
撮像部３は、被写体を撮像する。具体的には、撮像部３は、レンズ部３ａと、電子撮像部３ｂとを備えている。
【００１６】
レンズ部３ａは、例えば、ズームレンズやフォーカスレンズ等の複数のレンズから構成されている。
電子撮像部３ｂは、例えば、ＣＭＯＳ（Complementary Metal Oxide Semiconductor）やＣＣＤ（Charge Coupled Device）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１７】
撮像制御部４は、撮像部３による被写体の撮像を制御する。
すなわち、撮像制御部４は、図示は省略するが、タイミング発生器、ドライバなどを備えている。そして、撮像制御部４は、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部５に出力させる。
【００１８】
画像データ生成部５は、電子撮像部３ｂから転送されたフレーム画像のアナログ値の信号に対してＲＧＢの各色成分に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、画像データ生成部５は、生成した画像データをバッファメモリとして使用されるメモリ２や画像記録部７に転送する。
【００１９】
画像処理部６は、指定部６ａと、取得部６ｂと、判別部６ｃと、出力態様特定部６ｄと、出力態様特定テーブル６ｅと、切替態様特定部６ｆと、切替態様特定テーブル６ｇと、動画像生成部６ｈと、を具備している。
なお、画像処理部６の各部は、例えば、所定のロジック回路から構成されているが、当該構成は一例であってこれに限られるものではない。
【００２０】
指定部６ａは、画像記録部７に記録されている画像データから複数の静止画像を指定する。
具体的には、画像記録部７に記録されている画像データからユーザ所望の静止画像を選択可能な状態（例えば、表示パネル８ａに複数の静止画像がサムネイル表示されている状態）で、後述する操作入力部９の選択ボタン（図示省略）のユーザによる操作によって所望の静止画像が複数（例えば、５枚）選択指示された後、ユーザにより操作入力部９の決定ボタン（図示省略）が操作されると、指定部６ａは当該所望の静止画像を指定したこととなる。
【００２１】
取得部（時間情報取得手段）６ｂは、指定部６ａにより指定された複数の静止画像の各々の撮影日時に係る時間情報を取得する。
具体的には、取得部６ｂは、指定部６ａにより指定された各静止画像の画像データに付加されているＥｘｉｆ情報から撮影日時に係る時間情報を取得する。
【００２２】
判別部（関連性判別手段）６ｃは、取得部６ｂにより取得された撮影日時に係る時間情報に基づき、指定部６ａにより指定された複数の静止画像の関連性を判別する。
具体的には、判別部６ｃは、複数の静止画像の関連性として、互いの静止画像の撮影日時の時間差を判別する。この判別の方法としては、先ず、判別部６ｃは、指定部６ａにより指定された各静止画像を出力（再生表示）する際の順番を決定する。具体的には、各静止画像の撮影日時順とする。次いで、判別部６ｃは、各静止画像の撮影日時に係る時間情報に基づき、出力順序が隣り合う２つの静止画像の撮影日時の時間差を判別する。
例えば、指定部６ａにより指定された静止画像が５枚の場合、判別部６ｃは、１枚目の静止画像については、２枚目に出力する静止画像との撮影日時の時間差を判別する。次いで、判別部６ｃは、２枚目に出力する静止画像については、３枚目に出力する静止画像との撮影日時の時間差を、３枚目に出力する静止画像については、４枚目に出力する静止画像との撮影日時の時間差を、４枚目に出力する静止画像については、５枚目（最後）に出力する静止画像との撮影日時の時間差を判別する。ただし、５枚目に出力する静止画像については、撮影日時の時間差を判別する対象となる静止画像が存在しないため、判別部６ｃは、判別された各撮影日時の時間差の平均値を撮影日時の時間差として判別する。
【００２３】
出力態様特定部（出力態様特定手段）６ｄは、判別部６ｃにより判別された各静止画像の撮影日時の時間差に応じて、当該各静止画像を出力する際の出力態様を特定する。
本実施形態では、出力態様特定部６ｄは、出力態様特定テーブル６ｅを参照して、各静止画像を出力する際の出力態様を特定する。なお、出力態様特定テーブルは、独立した記憶部（図示省略）等に記憶しておき、この記憶部等に記憶されている出力態様特定テーブルを参照するようにしてもよい。
【００２４】
出力態様特定テーブル６ｅは、図２（ａ）に示すように、次に出力（再生表示）される静止画像との撮影日時の時間差と、再生時間（出力時間）と、画像フィルタ効果と、が対応付けられている。
従って、出力態様特定部６ｄは、この出力態様特定テーブル６ｅを参照することにより、判別部６ｃにより判別された各静止画像と当該各静止画像の次に再生される静止画像との撮影日時の時間差に応じて、当該各静止画像の再生時間、及び、当該各静止画像を再生する際の画像フィルタ効果を特定することができる。
例えば、１枚目として出力される静止画像と２枚目として出力される静止画像との撮影日時の時間差が１秒未満である場合、出力態様特定部６ｄは、１枚目として出力される静止画像の再生時間「０．５秒」を特定するとともに、当該静止画像を出力する際の画像フィルタ効果として「なし」を特定する。ここで、「なし」とは、何も画像処理が施されないことをいう。また、１枚目として出力される静止画像と２枚目として出力される静止画像との撮影日時の時間差が１時間以上、１日未満である場合、出力態様特定部６ｄは、１枚目として出力される静止画像の再生時間「４秒」を特定するとともに、当該静止画像を出力する際の画像フィルタ効果として「セピアへフェード」を特定する。ここで、「セピアへフェード」とは、出力される静止画像を徐々にセピア色に変更することをいう。ここでは、「４秒」でセピア色に変更するようにしてもよいし、「４秒」より短い時間でセピア色に変更し、残り時間は変更したセピア色で出力するようにしてもよい。また、１枚目として出力される静止画像と２枚目として出力される静止画像との撮影日時の時間差が１日以上である場合、出力態様特定部６ｄは、１枚目として出力される静止画像の再生時間「５秒」を特定するとともに、当該静止画像を出力する際の画像フィルタ効果として「モノクロへフェード」を特定する。ここで、「モノクロへフェード」とは、再生される静止画像を徐々にモノクロ化することをいう。ここでも、上述の「セピアへフェード」と同様に、モノクロ化する時間は「５秒」以内であればよい。
【００２５】
切替態様特定部（出力態様特定手段）６ｆは、判別部６ｃにより判別された各静止画像の撮影日時の時間差に応じて、次の静止画像を出力するまでの切替態様を特定する。
本実施形態では、切替態様特定部６ｆは、切替態様特定テーブル６ｇを参照して、次の静止画像を出力するまでの切替態様を特定する。なお、切替態様特定テーブルは、独立した記憶部（図示省略）等に記憶しておき、この記憶部等に記憶されている切替態様特定テーブルを参照するようにしてもよい。
【００２６】
切替態様特定テーブル６ｇは、図２（ｂ）に示すように、次に出力（再生表示）される静止画像との撮影日時の時間差と、切替時間と、画像切替効果と、が対応付けられている。
従って、切替態様特定部６ｆは、切替態様特定テーブル６ｇを参照することにより、判別部６ｃにより判別された各静止画像と当該各静止画像の次に再生される静止画像との撮影日時の時間差に応じて、当該各静止画像の次の静止画像が再生されるまでの切替時間、及び、当該切替時間における画像切替効果を特定することができる。
例えば、１枚目として出力される静止画像と２枚目として出力される静止画像との撮影日時の時間差が１秒未満である場合、切替態様特定部６ｆは、１枚目の静止画像から２枚目の静止画像へ切り替える際の切替時間「０．２秒」を特定するとともに、当該切替時間における画像切替効果として「フェードイン」を特定する。ここで、「フェードイン」とは、画像が徐々にはっきりしてくる効果をいう。これにより、上記の例では、切替時間において、２枚目の静止画像が徐々にはっきり表示されることとなる。
また、１枚目に出力される静止画像と２枚目に出力される静止画像との撮影日時の時間差が１時間以上、１日未満である場合、切替態様特定部６ｆは、１枚目の静止画像から２枚目の静止画像へ切り替える際の切替時間「２秒」を特定するとともに、当該切替時間における画像切替効果として「フェードイン＋ズームイン」を特定する。これにより、上記の例では、切替時間において、２枚目の静止画像が徐々にはっきり表示されるとともに当該静止画像がズームイン表示されることとなる。
また、１枚目に出力される静止画像と２枚目に出力される静止画像との撮影日時の時間差が１日以上である場合、切替態様特定部６ｆは、１枚目の静止画像から２枚目の静止画像へ切り替える際の切替時間「３秒」を特定するとともに、当該切替時間における画像切替効果として「フェードイン＋スライドイン」を特定する。これにより、上記の例では、切替時間において、２枚目の静止画像が徐々にはっきり表示されるとともに当該静止画像がスライドイン表示されることとなる。
【００２７】
動画像生成部（出力手段）６ｈは、指定部６ａにより指定された各静止画像から動画像を生成する。
具体的には、動画像生成部６ｈは、出力態様特定部６ｄにより特定された出力態様、及び、切替態様特定部６ｆにより特定された切替態様に基づき、指定部６ａにより指定された各静止画像に対して動画像用の画像処理を施すことによって動画像を生成する。
例えば、上記の例のように、出力態様特定部６ｄにより、１枚目に出力される静止画像の再生時間「５秒」が特定されるとともに、当該静止画像を出力する際の画像フィルタ効果として「モノクロへフェード」が特定され、また、切替態様特定部６ｆにより、切替時間「３秒」が特定されるとともに、当該切替時間における画像切替効果として「フェードイン＋スライドイン」が特定された場合、動画像生成部６ｈは、図３に示すように、１枚目の静止画像の再生時間を５秒に設定するとともに、徐々にモノクロ化する画像フィルタ効果を当該静止画像にかけることによって、動画像を生成する。また、動画像生成部６ｈは、２枚目の静止画像を再生する前の切替時間を３秒に設定するとともに、当該切替時間において、２枚目の静止画像を徐々にはっきり表示するとともに当該静止画像をスライドイン表示（例えば、表示パネル８ａの左方から徐々に表示）する画像切替効果をかけることによって、動画像を生成する。
【００２８】
画像記録部７は、例えば、不揮発性メモリ（フラッシュメモリ）等により構成されている。また、画像記録部７は、画像データ生成部５の符号化部（図示略）により所定の符号化方式で符号化された各種の画像の画像データを記録する。
具体的には、画像記録部７は、例えば、撮像部３により被写体が撮像され、符号化部により符号化された静止画像の画像データや、動画像生成部６ｈにより生成され、符号化部により符号化された動画像の画像データ等を記録する。
【００２９】
なお、画像記録部７は、例えば、記録媒体（図示略）が着脱自在に構成され、装着された記録媒体からのデータの読み出しや記録媒体に対するデータの書き込みを制御する構成であっても良い。
【００３０】
表示部８は、静止画像や動画像を表示する。具体的には、表示部８は、表示パネル８ａと、表示制御部８ｂとを具備している。
【００３１】
表示パネル８ａは、表示領域内に画像を表示する。具体的には、表示パネル８ａは、静止画撮影モードや動画撮影モードにて、撮像部３による被写体の撮像により生成された複数の画像フレームを所定の再生フレームレートで逐次更新しながらライブビュー画像を表示する。
なお、表示パネル８ａとしては、例えば、液晶表示パネルや有機ＥＬ表示パネルなどが挙げられるが、一例であってこれらに限られるものではない。
【００３２】
表示制御部（出力手段）８ｂは、メモリ２や画像記録部７から読み出され画像処理部６により復号された所定サイズの画像データに基づいて、所定の画像を表示パネル８ａの表示画面に表示させる制御を行う。具体的には、表示制御部８ｂは、ＶＲＡＭ（Video Random Access Memory）、ＶＲＡＭコントローラ、デジタルビデオエンコーダなどを備えている。そして、デジタルビデオエンコーダは、画像処理部６により復号されてＶＲＡＭ（図示略）に記憶されている輝度信号Ｙ及び色差信号Ｃｂ，Ｃｒを、ＶＲＡＭコントローラを介してＶＲＡＭから読み出して、これらのデータを元にビデオ信号を発生して表示パネル８ａに出力する。
【００３３】
操作入力部９は、装置本体に対して各種指示を入力するためのものである。
具体的には、操作入力部９は、例えば、シャッタボタン、動作モードや機能等の選択指示に係る上下左右のカーソルボタン、決定ボタン等を具備する操作部（図示略）を備えている。
そして、ユーザにより操作部の各種ボタンが操作されると、操作入力部９は、操作されたボタンに応じた操作指示を中央制御部１に出力する。中央制御部１は、操作入力部９から出力され入力された操作指示に従って所定の動作（例えば、被写体の撮像等）を各部に実行させる。
なお、操作入力部９は、表示部８の表示パネル８ａと一体となって設けられたタッチパネル（図示略）を有して構成されていても良い。
【００３４】
＜動画像再生処理＞
次に、本実施形態の撮像装置１００による動画像再生処理について、図４を参照して説明する。図４は、動画像再生処理に係る動作の一例を示すフローチャートである。
【００３５】
図４に示すように、先ず、指定部６ａは、ユーザ所望のＵ枚（Ｕ＞１）の静止画像が選択指示されたか否かを判定する（ステップＳ１）。
具体的には、指定部６ａは、画像記録部７に記録されている画像データからユーザ所望の静止画像を選択可能な状態（例えば、表示パネル８ａに複数の静止画像がサムネイル表示されている状態）で、ユーザによる操作入力部９の選択ボタン（図示省略）の操作によって所望の静止画像がＵ枚選択指示された後、ユーザにより操作入力部９の決定ボタン（図示省略）が操作されたか否かを判定する。
【００３６】
ステップＳ１において、ユーザ所望のＵ枚（Ｕ＞１）の静止画像が選択指示されていないと判定された場合（ステップＳ１；ＮＯ）、ステップＳ１の処理を繰り返し行う。
一方、ステップＳ１において、ユーザ所望のＵ枚（Ｕ＞１）の静止画像が選択指示されたと判定された場合（ステップＳ１；ＹＥＳ）、取得部６ｂは、指定部６ａにより指定されたＵ枚の静止画像の各々の撮影日時に係る時間情報ｔ（１）〜ｔ（ｕ）を取得する（ステップＳ２）。なお、１〜ｕは、撮影日時に係る時間情報ｔが時間的に早い順に並んでいるものとする。
【００３７】
次いで、判別部６ｃは、各静止画像の撮影日時に係る時間情報ｔ（１）〜ｔ（ｕ）に基づき、出力順序が隣り合う２つの静止画像の撮影日時の時間差ｔｄ（＝ｔ（ｎ＋１）−ｔ（ｎ））を判別するため、先ず、ポインタｎの値を１に設定する（ステップＳ３）。そして、判別部６ｃは、一枚目の静止画像と２枚目の静止画像との撮影日時の時間差ｔｄを判別（算出）する（ステップＳ４）。そして、判別部６ｃは、算出された時間差ｔｄを合計時間差Σｔｄに加算する（ステップＳ５）。
【００３８】
次いで、出力態様特定部６ｄは、出力態様特定テーブル６ｅを参照して、算出された時間差ｔｄに該当する再生時間、及び画像フィルタ効果を特定する（ステップＳ６）。
次いで、表示制御部８ｂは、出力態様特定部６ｄにより特定された再生時間、及び画像フィルタ効果に基づき、１枚目の静止画像に対して動画像用の画像処理が施されることによって生成された動画像を表示パネル８ａの表示画面に表示させる（ステップＳ７）。
【００３９】
次いで、表示制御部８ｂは、出力態様特定部６ｄにより特定された再生時間が経過したか否かを判定する（ステップＳ８）。
ステップＳ８において、再生時間が経過していないと判定された場合（ステップＳ８；ＮＯ）、ステップＳ７の処理を続けて行う。
一方、ステップＳ８において、再生時間が経過したと判定された場合（ステップＳ８；ＹＥＳ）、切替態様特定部６ｆは、切替態様特定テーブル６ｇを参照して、ステップＳ４で算出された時間差ｔｄに該当する２枚目の静止画像を出力するまでの切替時間、及び画像切替効果を特定する（ステップＳ９）。
【００４０】
次いで、表示制御部８ｂは、切替態様特定部６ｆにより特定された切替時間、及び画像切替効果に基づき、２枚目の静止画像に対して動画像用の画像処理が施されることによって生成された動画像（切替画像）を表示パネル８ａの表示画面に表示させる（ステップＳ１０）。
【００４１】
次いで、表示制御部８ｂは、切替態様特定部６ｆにより特定された切替時間が経過したか否かを判定する（ステップＳ１１）。
ステップＳ１１において、切替時間が経過していないと判定された場合（ステップＳ１１；ＮＯ）、ステップＳ１０の処理を続けて行う。
一方、ステップＳ１１において、切替時間が経過したと判定された場合（ステップＳ１１；ＹＥＳ）、判別部６ｃは、ポインタｎの値を１インクリメント、すなわちポインタｎの値を２に設定し（ステップＳ１２）、指定部６ａにより指定された静止画像の枚数ｕの値と等しいか否かを判定する（ステップＳ１３）。すなわち、次に切り替える静止画像がユーザにより選択された時間的に最後の静止画像であるか否かを判別する。
【００４２】
ステップＳ１３において、ポインタｎの値が静止画像の枚数ｕの値と等しくない、すなわちポインタｎの値が当該枚数ｕの値よりも小さいと判定された場合（ステップＳ１３；ＮＯ）、ステップＳ４へ戻り、それ以降の処理をポインタｎの値が当該枚数ｕの値と等しくなるまで行う。
一方、ステップＳ１３において、ポインタｎの値が静止画像の枚数ｕの値と等しいと判定された場合（ステップＳ１３；ＹＥＳ）、判別部６ｃは、ステップＳ５で加算された合計時間差Σｔｄをｕ−１で除することにより、平均時間差ｄｄを算出する（ステップＳ１４）。
【００４３】
次いで、出力態様特定部６ｄは、出力態様特定テーブル６ｅを参照して、算出された平均時間差ｄｄに該当する再生時間、及び画像フィルタ効果を特定する（ステップＳ１５）。
次いで、表示制御部８ｂは、出力態様特定部６ｄにより特定された再生時間、及び画像フィルタ効果に基づき、Ｕ枚目の静止画像に対して動画像用の画像処理が施されることによって生成された動画像を表示パネル８ａの表示画面に表示させる（ステップＳ１６）。
【００４４】
次いで、表示制御部８ｂは、出力態様特定部６ｄにより特定された再生時間が経過したか否かを判定する（ステップＳ１７）。
ステップＳ１７において、再生時間が経過していないと判定された場合（ステップＳ１７；ＮＯ）、ステップＳ１６の処理を続けて行う。
一方、ステップＳ１７において、再生時間が経過したと判定された場合（ステップＳ１７；ＹＥＳ）、動画像再生処理を終了する。
【００４５】
以上のように、本実施形態の撮像装置１００によれば、複数の静止画像の各々を、画像効果または出力時間が指定された所定の出力態様で出力した後、更に画像効果または切替時間が指定された所定の切替態様で次の静止画像の出力に切り替えるようにして順次出力し、順次出力される各々の静止画像について、他の静止画像との関連性を判別し、判別された他の静止画像との関連性に基づき、各静止画像を出力する際の前記出力態様と前記切替態様との組み合わせを特定することとなる。
従って、複数の静止画像を切り替えて順次出力する際に、各静止画像を出力するときの出力態様及び切替態様を変化させることによって、当該複数の静止画像の関連性を効果的に出力することができる。
【００４６】
また、本実施形態の撮像装置１００によれば、順次出力される各々の静止画像について、他の静止画像との関連性の度合いを判別し、判別された他の静止画像との関連性の度合いに基づき、各静止画像を出力する際の画像効果の強度と再生時間または切替時間の長さの組み合わせを特定することとなる。
従って、複数の静止画像を切り替えて順次出力する際に、各静止画像を出力するときの画像効果の強度と再生時間または切替時間の長さを変化させることによって、出力態様及び切替態様の変化を視覚的に容易に把握することができるようになるので、当該複数の静止画像の関連性を効果的に出力することができる。
【００４７】
また、本実施形態の撮像装置１００によれば、他の静止画像との関連性の度合いとして、互いの静止画像の時間情報の時間的な差の大きさを判別することとなるので、複数の静止画像を切り替えて順次出力する際に、各静止画像を出力するときの画像効果の強度と再生時間または切替時間の長さから互いの静止画像の時間的な変化量を把握することができる。
【００４８】
また、本実施形態の撮像装置１００によれば、他の静止画像との関連性の度合いとして、出力順序が隣り合う２つの静止画像の時間情報の時間的な差の大きさを判別することとなるので、複数の静止画像を切り替えて順次出力する際に、各静止画像を出力するときの画像効果の強度と再生時間または切替時間の長さから出力順序が隣り合う２つの静止画像の時間的な変化量を把握することができる。
【００４９】
また、本実施形態の撮像装置１００によれば、時間情報の時間的な差の大きさを判別する対象となる他の静止画像が存在しない静止画像の場合でも、所定の方法で算出された値を当該時間的な差の大きさとして判別することとなるので、複数の静止画像を切り替えて順次出力する際に、各静止画像の関連性を好適に表すことができるようになる。
【００５０】
また、本実施形態の撮像装置１００によれば、判別部６ｃにより判別された時間情報の時間的な差の大きさに応じて、出力態様を特定することとなるので、複数の静止画像を切り替えて順次出力する際に、各静止画像を出力するときの出力態様から当該複数の静止画像の時間的な変化量を把握することができる。
【００５１】
また、本実施形態の撮像装置１００によれば、判別部６ｃにより判別された時間情報の時間的な差の大きさに応じて、複数の静止画像の各々を出力する際の出力時間を特定することとなる。
従って、複数の静止画像を切り替えて順次出力する際に、各静止画像を出力するときの出力時間の長さから当該複数の静止画像の時間的な変化量を容易に把握することができる。
【００５２】
また、本実施形態の撮像装置１００によれば、判別部６ｃにより判別された時間情報の時間的な差の大きさに応じて、複数の静止画像の各々を出力する際の画像効果を更に特定することとなる。
従って、複数の静止画像を切り替えて順次出力する際に、各静止画像を出力するときの画像効果からも当該複数の静止画像の時間的な変化量を容易に把握することができる。
【００５３】
また、本実施形態の撮像装置１００によれば、判別部６ｃにより判別された時間情報の時間的な差の大きさに応じて、次の静止画像の出力に切り替える際の切替態様を特定することとなるので、複数の静止画像を切り替えて順次出力する際に、当該切替態様からも当該複数の静止画像の時間的な変化量を把握することができる。
【００５４】
また、本実施形態の撮像装置１００によれば、判別部６ｃにより判別された時間情報の時間的な差の大きさに応じて、次の静止画像を出力するまでの切替時間を特定することとなる。
従って、複数の静止画像を切り替えて順次出力する際に、次の静止画像を出力するまでの切替時間の長さから当該複数の静止画像の時間的な変化量を容易に把握することができる。
【００５５】
また、本実施形態の撮像装置１００によれば、判別部６ｃにより判別された時間情報の時間的な差の大きさに応じて、次の静止画像の出力に切り替る際の画像効果を更に特定することとなる。
従って、複数の静止画像を切り替えて順次出力する際に、次の静止画像の出力に切り替る際の画像効果からも当該複数の静止画像の時間的な変化量を容易に把握することができる。
【００５６】
また、本実施形態の撮像装置１００によれば、複数の静止画像の各々の撮影日時に係る時間情報を取得することとなるので、複数の静止画像を切り替えて順次出力する際に、各静止画像を出力するときの画像効果の強度と再生時間または切替時間の長さから当該複数の静止画像の各々の撮影日時の時間差を把握することができる。
【００５７】
＜変形例＞
次に、上記実施形態１の変形例について、図５及び図６を用いて説明する。なお、上記実施形態１と同様の構成については同じ符号を付して説明を省略する。
変形例の撮像装置１００Ａでは、指定部６ａにより指定された複数の静止画像の関連性を、上記実施形態１とは異なる方法で判別することを特徴としている。
【００５８】
本変形例の判別部６ｃは、各静止画像の撮影日時に係る時間情報に基づき、１枚目の静止画像、すなわち最も時間的に早い静止画像を基準に各静止画像との撮影日時の時間差を判別する。
例えば、指定部６ａにより指定された静止画像が５枚の場合、判別部６ｃは、１枚目の静止画像については、撮影日時の時間差を判別する対象となる静止画像が存在しないため、５枚目の静止画像の撮影日時と１枚目の静止画像の撮影日時との時間差を各静止画像の間隔の数（例えば、静止画像が５枚であれば４）で除した値を撮影日時の時間差として判別する。次いで、判別部６ｃは、２枚目の静止画像については、２枚目の静止画像と１枚目の静止画像との撮影日時の時間差を、３枚目の静止画像については、３枚目の静止画像と１枚目の静止画像との撮影日時の時間差を、４枚目の静止画像については、４枚目の静止画像と１枚目の静止画像との撮影日時の時間差を、５枚目の静止画像については、５枚目の静止画像と１枚目の静止画像との撮影日時の時間差を判別する。
【００５９】
本変形例の出力態様特定部６ｄは、上記実施形態１の出力態様特定テーブル６ｅの代わりに出力態様特定テーブル６ｉを参照して、各静止画像を出力する際の出力態様を特定する。
出力態様特定テーブル６ｉは、図５（ａ）に示すように、１枚目の静止画像（最も時間的に早い静止画像）との撮影日時の時間差と、再生時間（出力時間）と、画像フィルタ効果と、が対応付けられている。
また、本変形例の切替態様特定部６ｆは、上記実施形態１の切替態様特定テーブル６ｇの代わりに切替態様特定テーブル６ｊを参照して、次の静止画像を出力するまでの切替態様を特定する。
切替態様特定テーブル６ｊは、図５（ｂ）に示すように、１枚目の静止画像（最も時間的に早い静止画像）との撮影日時の時間差と、切替時間と、画像切替効果と、が対応付けられている。
【００６０】
＜動画像再生処理＞
次に、本変形例の撮像装置１００Ａによる動画像再生処理について、図６を参照して説明する。図６は、動画像再生処理に係る動作の一例を示すフローチャートである。
【００６１】
図６に示すように、先ず、指定部６ａは、上記実施形態１と同様にユーザ所望のＵ枚（Ｕ＞１）の静止画像が選択指示されたか否かを判定する（ステップＳ２１）。ここでも、１〜ｕは、撮影日時に係る時間情報ｔが時間的に早い順に並んでいるものとする。
【００６２】
ステップＳ２１において、ユーザ所望のＵ枚（Ｕ＞１）の静止画像が選択指示されていないと判定された場合（ステップＳ２１；ＮＯ）、ステップＳ２１の処理を繰り返し行う。
一方、ステップＳ２１において、ユーザ所望のＵ枚（Ｕ＞１）の静止画像が選択指示されたと判定された場合（ステップＳ２１；ＹＥＳ）、取得部６ｂは、指定部６ａにより指定されたＵ枚の静止画像の各々の撮影日時に係る時間情報ｔ（１）〜ｔ（ｕ）を取得する（ステップＳ２２）。
【００６３】
次いで、判別部６ｃは、各静止画像の撮影日時に係る時間情報ｔ（１）〜ｔ（ｕ）に基づき、１枚目の静止画像を基準に各静止画像との撮影日時の時間差ｔｆ（＝ｔ（ｎ）−ｔ（１））を判別するため、先ず、ポインタｎの値を１に設定する（ステップＳ２３）。このとき、１枚目の静止画像については、撮影日時の時間差を判別する対象となる静止画像が存在しないため、判別部６ｃは、ｕ枚目の静止画像の撮影日時ｔ（ｕ）と１枚目の静止画像の撮影日時ｔ（１）との時間差ｔ（ｕ）−ｔ（１）を各静止画像の間隔の数ｕ−１で除することによって、平均時間差ｄｅを算出し（ステップＳ２４）、当該平均時間差ｄｅを撮影日時の時間差として判別する。
【００６４】
次いで、出力態様特定部６ｄは、出力態様特定テーブル６ｉを参照して、算出された平均時間差ｄｅに該当する再生時間、及び画像フィルタ効果を特定する（ステップＳ２５）。
次いで、表示制御部８ｂは、出力態様特定部６ｄにより特定された再生時間、及び画像フィルタ効果に基づき、１枚目の静止画像に対して動画像用の画像処理が施されることによって生成された動画像を表示パネル８ａの表示画面に表示させる（ステップＳ２６）。
【００６５】
次いで、表示制御部８ｂは、出力態様特定部６ｄにより特定された再生時間が経過したか否かを判定する（ステップＳ２７）。
ステップＳ２７において、再生時間が経過していないと判定された場合（ステップＳ２７；ＮＯ）、ステップＳ２６の処理を続けて行う。
一方、ステップＳ２７において、再生時間が経過したと判定された場合（ステップＳ２７；ＹＥＳ）、切替態様特定部６ｆは、切替態様特定テーブル６ｊを参照して、ステップＳ２４で算出された平均時間差ｄｅに該当する２枚目の静止画像を出力するまでの切替時間、及び画像切替効果を特定する（ステップＳ２８）。
【００６６】
次いで、表示制御部８ｂは、切替態様特定部６ｆにより特定された切替時間、及び画像切替効果に基づき、２枚目の静止画像に対して動画像用の画像処理が施されることによって生成された動画像（切替画像）を表示パネル８ａの表示画面に表示させる（ステップＳ２９）。
【００６７】
次いで、表示制御部８ｂは、切替態様特定部６ｆにより特定された切替時間が経過したか否かを判定する（ステップＳ３０）。
ステップＳ３０において、切替時間が経過していないと判定された場合（ステップＳ３０；ＮＯ）、ステップＳ２９の処理を続けて行う。
一方、ステップＳ３０において、切替時間が経過したと判定された場合（ステップＳ３０；ＹＥＳ）、判別部６ｃは、ポインタｎの値を２に設定する（ステップＳ３１）。
【００６８】
次いで、判別部６ｃは、２枚目の静止画像と１枚目の静止画像との撮影日時の時間差ｔｆ（ｔ（ｎ）−ｔ（１））を判別（算出）する（ステップＳ３２）。
【００６９】
次いで、出力態様特定部６ｄは、出力態様特定テーブル６ｉを参照して、算出された時間差ｔｆに該当する再生時間、及び画像フィルタ効果を特定する（ステップＳ３３）。
次いで、表示制御部８ｂは、出力態様特定部６ｄにより特定された再生時間、及び画像フィルタ効果に基づき、２（ｎ＝２）枚目の静止画像に対して動画像用の画像処理が施されることによって生成された動画像を表示パネル８ａの表示画面に表示させる（ステップＳ３４）。
【００７０】
次いで、表示制御部８ｂは、出力態様特定部６ｄにより特定された再生時間が経過したか否かを判定する（ステップＳ３５）。
ステップＳ３５において、再生時間が経過していないと判定された場合（ステップＳ３５；ＮＯ）、ステップＳ３４の処理を続けて行う。
一方、ステップＳ３５において、再生時間が経過したと判定された場合（ステップＳ３５；ＹＥＳ）、判別部６ｃは、ポインタｎの値が指定部６ａにより指定された静止画像の枚数ｕの値と等しいか否かを判定する（ステップＳ３６）。すなわち、ユーザにより選択された時間的に最後の静止画像の再生が終了したか否かを判別する。
【００７１】
ステップＳ３６において、ポインタｎの値が指定部６ａにより指定された静止画像の枚数ｕの値と等しいと判定された場合（ステップＳ３６；ＹＥＳ）、動画像再生処理を終了する。
一方、ステップＳ３６において、ポインタｎの値が指定部６ａにより指定された静止画像の枚数ｕの値と等しくないと判定された場合（ステップＳ３６；ＮＯ）、切替態様特定部６ｆは、切替態様特定テーブル６ｊを参照して、ステップＳ３２で算出された時間差ｔｆに該当する３枚目の静止画像を出力するまでの切替時間、及び画像切替効果を特定する（ステップＳ３７）。
【００７２】
次いで、表示制御部８ｂは、切替態様特定部６ｆにより特定された切替時間、及び画像切替効果に基づき、３（ｎ＋１＝３）枚目の静止画像に対して動画像用の画像処理が施されることによって生成された動画像（切替画像）を表示パネル８ａの表示画面に表示させる（ステップＳ３８）。
【００７３】
次いで、表示制御部８ｂは、切替態様特定部６ｆにより特定された切替時間が経過したか否かを判定する（ステップＳ３９）。
ステップＳ３９において、切替時間が経過していないと判定された場合（ステップＳ３９；ＮＯ）、ステップＳ３８の処理を続けて行う。
一方、ステップＳ３９において、切替時間が経過したと判定された場合（ステップＳ３９；ＹＥＳ）、判別部６ｃは、ポインタｎの値を１インクリメント、すなわちポインタｎの値を３に設定し（ステップＳ４０）、ステップＳ３２へ戻り、それ以降の処理をポインタｎの値が指定部６ａにより指定された静止画像の枚数ｕの値と等しくなるまで行う。
【００７４】
以上のように、本変形例の撮像装置１００Ａによれば、他の静止画像との関連性の度合いとして、１枚目の静止画像を基準に各静止画像との時間情報の時間的な差の大きさを判別することとなるので、複数の静止画像を切り替えて順次出力する際に、各静止画像を出力するときの画像効果の強度と再生時間または切替時間の長さから１枚目の静止画像を基準に各静止画像との時間的な変化量を把握することができる。
【００７５】
〔実施形態２〕
次に、実施形態２の撮像装置２００について説明する。なお、基本的には、実施形態１の撮像装置１００と同様の構成を有しており、以下、同様の構成を有する部分については同じ符号を付して説明を省略し、主に異なる部分について説明する。
本実施形態の撮像装置２００は、グループ化された複数の静止画像の画像グループの種類を判別し、判別された画像グループの種類に基づき、各静止画像を出力する際の出力態様を特定し、当該出力態様に基づき、各静止画像を出力することを特徴としている。
【００７６】
本実施形態の画像処理部６は、図７に示すように、指定部６ａと、判別部６ｃと、撮影間隔情報取得部６ｋと、次元情報取得部６ｌと、出力態様特定部６ｄと、第１出力態様特定テーブル６ｍ１と、第２出力態様特定テーブル６ｍ２と、動画像生成部６ｈと、を具備している。
なお、画像処理部６の各部は、例えば、所定のロジック回路から構成されているが、当該構成は一例であってこれに限られるものではない。
【００７７】
指定部６ａは、画像記録部７に記録されている画像データから、複数の静止画像からなる画像グループを指定する。
具体的には、画像記録部７に記録されている画像データから、ユーザ所望の一の画像ファイルに加えて、複数の静止画像からなる画像グループを選択可能な状態で、ユーザによる操作入力部９の選択ボタン（図示省略）の操作によって所望の画像グループが選択指示された後、ユーザにより操作入力部９の決定ボタン（図示省略）が操作されると、指定部６ａは、当該所望の画像グループを指定する。すなわち、画像グループを指定することで当該画像グループに格納されている複数の静止画像が指定されることとなる。
【００７８】
判別部（グループ判別手段）６ｃは、指定部６ａにより指定された画像グループに基づき、当該画像グループの種類を判別する。
具体的には、判別部６ｃは、当該複数の静止画像からなる画像グループが、連写により撮影された複数の静止画像の画像グループ（第１グループ）であるか、ブラケットにより撮影された複数の静止画像の画像グループ（第２グループ）であるかを判別する。
【００７９】
撮影間隔情報取得部（撮影間隔情報取得手段）６ｋは、判別部６ｃにより判別された画像グループが連写により撮影された複数の静止画像の画像グループ（第１グループ）である場合、当該画像グループに格納された複数の静止画像の撮影間隔情報を取得する。
【００８０】
次元情報取得部（次元情報取得手段）６ｌは、判別部６ｃにより判別された画像グループがブラケットにより撮影された複数の静止画像の画像グループ（第２グループ）である場合、当該ブラケットによる撮影の次元を示す情報を取得する。ここで、次元とは、ブラケットによる撮影を行う際に変化させる撮影パラメータの数を示すものである。例えば、１次元の場合は、ブラケットによる撮影を行う際に変化させる撮影パラメータの数は１であり、２次元の場合は、ブラケットによる撮影を行う際に変化させる撮影パラメータの数は２である。なお、撮影パラメータには、明るさ、ホワイトバランス、フォーカス、絞り、シャッタースピード等があり、１次元ブラケット撮影の場合は、これらのうち一つのパラメータの設定値を例えば、３段階（−１、０、＋１）で変化させることにより３枚の撮影を行う。一方、２次元ブラケット撮影の場合は、二つのパラメータの設定値をそれぞれ例えば、３段階（−１、０、＋１）で変化させることにより計９枚の撮影を行う。
【００８１】
出力態様特定部６ｄは、判別部６ｃにより判別された画像グループの種類に基づき、各静止画像を出力する際の出力態様を特定する。
具体的には、出力態様特定部６ｄは、判別部６ｃにより判別された画像グループが第１グループである場合、当該画像グループの複数の静止画像を切り替えて順次出力する態様を特定する。更に、出力態様特定部６ｄは、第１出力態様特定テーブル６ｍ１を参照して、撮影間隔情報取得部６ｋにより取得された撮影間隔情報に基づき、各静止画像の再生時間（出力時間）と次の静止画像へ切り替える際の切替時間を特定する。
【００８２】
また、出力態様特定部６ｄは、判別部６ｃにより判別された画像グループが第２グループである場合、当該画像グループの複数の静止画像を空間的に配置して出力する態様を特定する。更に、出力態様特定部６ｄは、第２出力態様特定テーブル６ｍ２を参照して、次元情報取得部６ｌにより取得された次元情報に基づき、各静止画像の空間的な配置パターンを特定する。
具体的には、次元情報取得部６ｌにより取得された次元情報が１次元を示す情報である場合、出力態様特定部６ｄは、第２出力態様特定テーブル６ｍ２を参照し、空間的表示方法として、方法Ａを特定するとともに、再生時間「０．２秒」を特定する。ここで、方法Ａについて説明する。図１０に示すように、方法Ａでは、先ず１枚目の画像として、撮影パラメータの設定値「０」で撮影された静止画像を所定の再生時間が経過するまで表示パネル８ａの表示画面に表示する（図１０（ａ）参照）。次に、２枚目の画像として、撮影パラメータの設定値「−１」で撮影された静止画像の左側半分と、撮影パラメータの設定値「０」で撮影された静止画像の右側半分を合成した画像を所定の再生時間が経過するまで表示パネル８ａの表示画面に表示する（図１０（ｂ）参照）。次に、３枚目の画像として、撮影パラメータの設定値「０」で撮影された静止画像の左側半分と、撮影パラメータの設定値「＋１」で撮影された静止画像の右側半分を合成した画像を所定の再生時間が経過するまで表示パネル８ａの表示画面に表示する（図１０（ｃ）参照）。次に、４枚目の画像として、撮影パラメータの設定値「−１」で撮影された静止画像の左側３分の１と、撮影パラメータの設定値「０」で撮影された静止画像の中央部分３分の１と、撮影パラメータの設定値「＋１」で撮影された静止画像の右側３分の１を合成した画像を所定の再生時間が経過するまで表示パネル８ａの表示画面に表示する（図１０（ｄ）参照）。
【００８３】
また、次元情報取得部６ｌにより取得された次元情報が２次元を示す情報である場合、出力態様特定部６ｄは、第２出力態様特定テーブル６ｍ２を参照し、空間的表示方法として、方法Ｂを特定するとともに、再生時間「０．１５秒」を特定する。ここで、方法Ｂについて説明する。図１１に示すように、方法Ｂでは、先ず１枚目の画像として、撮影パラメータの設定値「０，０」で撮影された静止画像を所定の再生時間が経過するまで表示パネル８ａの表示画面に表示する（図１１（ａ）参照）。次に、２枚目の画像として、撮影パラメータの設定値「０，０」で撮影された静止画像を９分の１のサイズに縮小した画像（以下、基準画像という）を表示画面の中央に表示するとともに、撮影パラメータの設定値「−１，＋１」で撮影された静止画像を９分の１のサイズに縮小した画像を当該基準画像の左上に表示する（図１１（ｂ）参照）。次に、３枚目の画像として、基準画像を表示画面の中央に表示するとともに、撮影パラメータの設定値「０，＋１」で撮影された静止画像を９分の１のサイズに縮小した画像を当該基準画像の真上に表示する（図１１（ｃ）参照）。次に、４枚目の画像として、基準画像を表示画面の中央に表示するとともに、撮影パラメータの設定値「＋１，＋１」で撮影された静止画像を９分の１のサイズに縮小した画像を当該基準画像の右上に表示する（図１１（ｄ）参照）。次に、５枚目の画像として、基準画像を表示画面の中央に表示するとともに、撮影パラメータの設定値「＋１，０」で撮影された静止画像を９分の１のサイズに縮小した画像を当該基準画像の右に表示する（図１１（ｅ）参照）。次に、６枚目の画像として、基準画像を表示画面の中央に表示するとともに、撮影パラメータの設定値「−１，０」で撮影された静止画像を９分の１のサイズに縮小した画像を当該基準画像の左に表示する（図１１（ｆ）参照）。次に、７枚目の画像として、基準画像を表示画面の中央に表示するとともに、撮影パラメータの設定値「−１，−１」で撮影された静止画像を９分の１のサイズに縮小した画像を当該基準画像の左下に表示する（図１１（ｇ）参照）。次に、８枚目の画像として、基準画像を表示画面の中央に表示するとともに、撮影パラメータの設定値「０，−１」で撮影された静止画像を９分の１のサイズに縮小した画像を当該基準画像の真下に表示する（図１１（ｈ）参照）。次に、９枚目の画像として、基準画像を表示画面の中央に表示するとともに、撮影パラメータの設定値「＋１，−１」で撮影された静止画像を９分の１のサイズに縮小した画像を当該基準画像の右下に表示する（図１１（ｉ）参照）。次に、１０枚目の画像として、２〜９枚目で表示した各縮小画像を一斉に表示する（図１１（ｊ）参照）。また、１〜１０枚目の各画像の再生時間は、いずれも０．１５秒である。
【００８４】
第１出力態様特定テーブル６ｍ１は、図８（ａ）に示すように、撮影間隔と、再生時間（出力時間）と、切替時間と、が対応付けられている。
従って、出力態様特定部６ｄは、第１出力態様特定テーブル６ｍ１を参照することにより、撮影間隔情報取得部６ｋにより取得された撮影間隔情報に応じて、各静止画像の再生時間、及び、次の静止画像を再生するまでの切替時間を特定することができる。
【００８５】
第２出力態様特定テーブル６ｍ２は、図８（ｂ）に示すように、ブラケット次元と、空間的表示方法と、再生時間と、が対応付けられている。
従って、出力態様特定部６ｄは、第２出力態様特定テーブル６ｍ２を参照することにより、次元情報取得部６ｌにより取得された次元情報に応じて、各静止画像の表示方法、及び、当該各静止画像の再生時間を特定することができる。
【００８６】
動画像生成部６ｈは、指定部６ａにより指定された画像ファイルに格納されている各静止画像から動画像を生成する。
具体的には、動画像生成部６ｈは、出力態様特定部６ｄにより特定された出力態様に基づき、指定部６ａにより指定された画像ファイルに格納されている各静止画像に対して動画像用の画像処理を施すことによって動画像を生成する。
【００８７】
＜動画像再生処理＞
次に、本実施形態の撮像装置２００による動画像再生処理について、図９を参照して説明する。図９は、動画像再生処理に係る動作の一例を示すフローチャートである。
【００８８】
図９に示すように、先ず、指定部６ａは、ユーザ所望の画像ファイルが選択指示されたか否かを判定する（ステップＳ１０１）。
具体的には、画像記録部７に記録されている画像データから、ユーザ所望の一の画像ファイル或いは画像グループを選択可能な状態で、ユーザによる操作入力部９の選択ボタン（図示省略）の操作によって所望の画像グループが選択指示された後、ユーザにより操作入力部９の決定ボタン（図示省略）が操作されたか否かを判定する。
【００８９】
ステップＳ１０１において、ユーザ所望の画像グループが選択指示されていないと判定された場合（ステップＳ１０１；ＮＯ）、ステップＳ１０１の処理を繰り返し行う。
一方、ステップＳ１０１において、ユーザ所望の画像グループが選択指示されたと判定された場合（ステップＳ１０１；ＹＥＳ）、判別部６ｃは、指定部６ａにより指定された画像グループに基づき、当該画像グループの種類を判別する（ステップＳ１０２）。
【００９０】
ステップＳ１０２において、判別部６ｃにより当該複数の静止画像の画像グループが、連写により撮影された複数の静止画像の画像グループ（第１グループ）であると判定された場合（ステップＳ１０２；ＹＥＳ）、撮影間隔情報取得部６ｋは、当該画像グループに格納されている複数の静止画像の撮影間隔ｔｉ、及び枚数ｖを示す情報を取得する（ステップＳ１０３）。
【００９１】
次いで、出力態様特定部６ｄは、第１出力態様特定テーブル６ｍ１を参照して、撮影間隔情報取得部６ｋにより取得された撮影間隔ｔｉに該当する設定値（各静止画像の再生時間（出力時間）、及び次の静止画像へ切り替える際の切替時間）を特定する（ステップＳ１０４）。
【００９２】
次いで、表示制御部８ｂは、ポインタｎの値を１に設定し（ステップＳ１０５）、出力態様特定部６ｄにより特定された再生時間に基づき、１（ｎ＝１）枚目の静止画像に対して動画像用の画像処理が施されることによって生成された動画像を表示パネル８ａの表示画面に表示させる（ステップＳ１０６）。
【００９３】
次いで、表示制御部８ｂは、出力態様特定部６ｄにより特定された再生時間が経過したか否かを判定する（ステップＳ１０７）。
ステップＳ１０７において、再生時間が経過していないと判定された場合（ステップＳ１０７；ＮＯ）、ステップＳ１０６の処理を続けて行う。
一方、ステップＳ１０７において、再生時間が経過したと判定された場合（ステップＳ１０７；ＹＥＳ）、出力態様特定部６ｄにより特定された切替時間に基づき、動画像用の画像処理が施され生成された動画像を表示パネル８ａの表示画面に表示させる（ステップＳ１０８）。
【００９４】
次いで、表示制御部８ｂは、出力態様特定部６ｄにより特定された切替時間が経過したか否かを判定する（ステップＳ１０９）。
ステップＳ１０９において、切替時間が経過していないと判定された場合（ステップＳ１０９；ＮＯ）、ステップＳ１０８の処理を続けて行う。
一方、ステップＳ１０９において、切替時間が経過したと判定された場合（ステップＳ１０９；ＹＥＳ）、表示制御部８ｂは、ポインタｎの値を１インクリメント、すなわちポインタｎの値を２に設定し（ステップＳ１１０）、撮影間隔情報取得部６ｋにより取得された静止画像の枚数ｖの値と等しいか否かを判定する（ステップＳ１１１）。
【００９５】
ステップＳ１１１において、ポインタｎの値が静止画像の枚数ｖの値と等しくない、すなわちポインタｎの値が静止画像の枚数ｖの値よりも小さいと判定された場合（ステップＳ１１１；ＮＯ）、ステップＳ１０６へ戻り、それ以降の処理をポインタｎの値が静止画像の枚数ｖの値と等しくなるまで行う。
一方、ステップＳ１１１において、ポインタｎの値が静止画像の枚数ｖの値と等しいと判定された場合（ステップＳ１１１；ＹＥＳ）、動画像再生処理を終了する。
【００９６】
また、ステップＳ１０２において、判別部６ｃにより当該複数の静止画像の画像グループが、連写により撮影された複数の静止画像の画像グループ（第１グループ）でない、すなわちブラケットにより撮影された複数の静止画像の画像グループ（第２グループ）であると判別された場合（ステップＳ１０２；ＮＯ）、次元情報取得部６ｌは、当該ブラケットによる撮影の次元ｄ、及び当該画像グループに格納されている静止画像の枚数ｗを示す情報を取得する（ステップＳ１１２）。
【００９７】
次いで、出力態様特定部６ｄは、第２出力態様特定テーブル６ｍ２を参照して、次元情報取得部６ｌにより取得された次元ｄに該当する各静止画像の空間的表示方法、及び再生時間を特定する（ステップＳ１１３）。
【００９８】
次いで、表示制御部８ｂは、ポインタｎの値を１に設定し（ステップＳ１１４）、出力態様特定部６ｄにより特定された空間的表示方法、及び再生時間に基づき、１（ｎ＝１）枚目の静止画像に対して動画像用の画像処理が施されることによって生成された動画像を表示パネル８ａの表示画面に表示させる（ステップＳ１１５）。
【００９９】
次いで、表示制御部８ｂは、出力態様特定部６ｄにより特定された再生時間が経過したか否かを判定する（ステップＳ１１６）。
ステップＳ１１６において、再生時間が経過していないと判定された場合（ステップＳ１１６；ＮＯ）、ステップＳ１１５の処理を続けて行う。
一方、ステップＳ１１６において、再生時間が経過したと判定された場合（ステップＳ１１６；ＹＥＳ）、表示制御部８ｂは、ポインタｎの値を１インクリメント、すなわちポインタｎの値を２に設定し（ステップＳ１１７）、次元情報取得部６ｌにより取得された静止画像の枚数ｗに１を加えた値と等しいか否かを判定する（ステップＳ１１８）。
【０１００】
ステップＳ１１８において、ポインタｎの値が静止画像の枚数ｗに１を加えた値と等しくない、すなわちポインタｎの値が静止画像の枚数ｗに１を加えた値よりも小さいと判定された場合（ステップＳ１１８；ＮＯ）、ステップＳ１１５へ戻り、それ以降の処理をポインタｎの値が静止画像の枚数ｗに１を加えた値と等しくなるまで行う。
一方、ステップＳ１１８において、ポインタｎの値が静止画像の枚数ｗに１を加えた値と等しいと判定された場合（ステップＳ１１８；ＹＥＳ）、表示制御部８ｂは、出力態様特定部６ｄにより特定された空間的表示方法、及び再生時間に基づき、１（ｎ＝ｗ＋１）枚目の静止画像に対して動画像用の画像処理が施されることによって生成された動画像を表示パネル８ａの表示画面に表示させる（ステップＳ１１９）。
【０１０１】
次いで、表示制御部８ｂは、出力態様特定部６ｄにより特定された再生時間が経過したか否かを判定する（ステップＳ１２０）。
ステップＳ１２０において、再生時間が経過していないと判定された場合（ステップＳ１２０；ＮＯ）、ステップＳ１１９の処理を続けて行う。
一方、ステップＳ１２０において、再生時間が経過したと判定された場合（ステップＳ１２０；ＹＥＳ）、動画像再生処理を終了する。
【０１０２】
以上のように、本実施形態の撮像装置２００によれば、複数の静止画像を、時間的に異なるタイミング又は空間的に異なる位置で出力し、出力対象となる複数の静止画像の関連性を判別し、判別された関連性に基づき、複数の静止画像を出力する際に、時間的に異なるタイミングで出力させるか、又は空間的に異なる位置で出力させるか、のいずれかを特定することとなる。
従って、複数の静止画像を出力する際の出力態様を変化させることによって、当該複数の静止画像の関連性を効果的に出力することができる。
【０１０３】
また、本実施形態の撮像装置２００によれば、グループ化された複数の静止画像の画像グループの種類を判別し、判別された当該画像グループの種類に基づき、出力対象となる複数の静止画像を時間的に異なるタイミングで出力させるか、又は空間的に異なる位置で出力させるか、のいずれかを特定することとなる。具体的には、判別された画像グループが第１グループである場合、当該画像グループの複数の静止画像を時間的に異なるタイミングで切り替えて順次出力する態様を特定する一方、判別された画像グループが第２グループである場合、当該画像グループの複数の静止画像の各々を空間的に異なる位置で出力する態様を特定することとなる。
従って、グループ化された複数の静止画像を出力する際に、当該複数の静止画像の画像グループの種類に応じて、各静止画像を出力するときの出力態様を異ならせることができるので、当該出力態様を変化させることによって、当該複数の静止画像の関連性を効果的に出力することができる。
【０１０４】
また、本実施形態の撮像装置２００によれば、判別された画像グループが第１グループである場合、当該画像グループの複数の静止画像の撮影間隔情報を取得し、当該撮影間隔情報に基づき、各静止画像の出力時間と次の静止画像へ切り替える際の切替時間を特定することとなる。
従って、複数の静止画像を切り替えて順次出力する際に、各静止画像を出力するときの出力態様及び切替態様から当該複数の静止画像を連写撮影したときの撮影間隔を把握することができる。
【０１０５】
また、本実施形態の撮像装置２００によれば、判別された画像グループが第２グループである場合、ブラケットによる撮影の当該ブラケットの次元情報を取得し、当該次元情報に基づき、複数の静止画像の各々の空間的な位置が異なる配置パターンを特定することとなる。
従って、複数の静止画像を出力する際に、各静止画像の各々の空間的な位置が異なる配置パターンから当該複数の静止画像をブラケット撮影したときの次元（撮影パラメータの数）を把握することができる。
【０１０６】
なお、本発明は、上記実施形態に限定されることなく、本発明の趣旨を逸脱しない範囲において、種々の改良並びに設計の変更を行っても良い。
例えば、上記実施形態１にあっては、指定部６ａにより指定された各静止画像を出力する際の順番を当該各静止画像の撮影日時順としたが、当該順番をユーザが任意に設定することができるようにしても良い。
【０１０７】
また、上記実施形態１及び２にあっては、動画像生成部６ｈにより生成された動画像を表示パネル８ａに表示させる表示制御部８ｂに限らず、当該動画像を生成する動画像生成部６ｈも出力態様特定部６ｄにより特定された出力態様に基づき、複数の静止画像を出力する出力手段を構成するものである。この出力手段により出力される複数の静止画像は、外部機器により表示されるようにしてもよく、また、表示パネル８ａに表示されることなく画像データ生成部５に出力され画像データが生成されるようにしてもよい。
【０１０８】
また、上記実施形態１にあっては、取得部６ｂは、複数の静止画像の各々の時間情報として、具体的には、撮影日時に係る時間情報を取得するようにしたが、例えば、画像編集が行われた静止画像については、画像編集が行われ画像記録部７に保存された日時に係る情報であってもよい。
【０１０９】
また、上記実施形態１の変形例にあっては、最も時間的に早い静止画像を基準に各静止画像との撮影日時の時間差を判別するようにしているが、最も時間的に遅い静止画像を基準としてもよく、基準とする静止画像は任意に設定可能としてもよい。
【０１１０】
また、上記実施形態１にあっては、取得部６ｂは、複数の静止画像の各々の時間情報を取得するようにしているが、時間情報以外に各静止画像が撮影された際の位置情報を取得するようにしてもよく、この場合、出力態様特定部６ｄは、出力手段が複数の静止画像の各々を出力する際の出力態様として、取得部６ｂにより取得された複数の静止画像間の位置情報の差分から、出力手段により各静止画像を出力する際の画像効果の強度と再生時間または切替時間の長さの組み合わせを特定してもよい。
更に、出力態様特定部６ｄは、出力手段が複数の静止画像の各々を出力する際の出力態様として、取得部６ｂにより取得された複数の静止画像間の位置情報の差分から、前記出力手段により各静止画像を出力する際の再生時間に代えて、画像サイズを特定してもよい。
【０１１１】
また、上記実施形態１にあっては、画像フィルタ効果として、静止画像にセピアもしくはモノクロへフェードする効果を採用したが、これら以外の色味へフェードする効果を採用してもよい。また、例えば、昼のように輝度が高いと想定される時間帯の静止画像から、夜のように輝度が低いと想定される時間帯の静止画像へ切り替える場合は、徐々に輝度を落とすような画像フィルタ効果を採用し、輝度が低いと想定される時間帯の静止画像から輝度が高いと想定される時間帯の静止画像へ切り替える場合は、徐々に輝度を上げるような画像フィルタ効果を採用するようにしてもよい。
【０１１２】
また、上記実施形態２にあっては、ブラケットによる撮影として、一つのパラメータの設定値を３段階（−１、０、＋１）で変化させるようにしているが、段階は４段階、５段階等他の段階数であってもよく、変化する値も０．５毎のように異なる値を変化の単位としても良い。同様に、２次元ブラケット撮影の場合も、二つのパラメータの設定値を変化させる段階数、或いは変化の単位は、３段階（−１、０、＋１）とは異なる段階数、或いは変化の単位であってもよい。
【０１１３】
また、上記実施形態２にあっては、空間的表示方法として、方法Ａを用いる場合、４枚目の画像として、撮影パラメータの設定値「−１」で撮影された静止画像、撮影パラメータの設定値「０」で撮影された静止画像、及び撮影パラメータの設定値「＋１」で撮影された静止画像のいずれも各静止画像の中央部分３分の１を合成した画像を所定の再生時間が経過するまで表示パネル８ａの表示画面に表示するようにしてもよい。
また、空間的表示方法として、方法Ｂを用いる場合、表示画面の空き領域を利用して、撮影パラメータの値を表示するようにしてもよい。例えば、図１０（ｂ）に示すように、基準画像を表示画面の中央に表示するとともに、撮影パラメータの設定値「−１，＋１」で撮影された静止画像を９分の１のサイズに縮小した画像を当該基準画像の左上に表示している場合、基準画像の右方に当該基準画像の撮影パラメータの設定値「０，０」を表示するとともに、当該基準画像の左上に表示されている縮小画像の右方に当該縮小画像の撮影パラメータの設定値「−１，＋１」を表示するようにする。
【０１１４】
また、上記実施形態１にあっては、静止画像の画像情報に付加されたＥｘｉｆ情報から撮影日時に係る時間情報を取得するようにしたが、当該時間情報を取得可能であれば、取得先はＥｘｉｆ情報に限られない。
【０１１５】
また、上記実施形態１にあっては、出力手段、関連性判別手段、出力態様特定手段としての機能を、中央制御部１の制御下にて、動画像生成部、判別部、出力態様特定部が駆動することにより実現される構成としたが、これに限られるものではなく、中央制御部１のＣＰＵによって所定のプログラム等が実行されることにより実現される構成としても良い。
すなわち、プログラムを記憶するプログラムメモリ（図示略）に、動画像生成処理ルーチン、判別処理ルーチン、出力態様特定処理ルーチンを含むプログラムを記憶しておく。そして、動画像生成処理ルーチンにより中央制御部１のＣＰＵを、複数の静止画像の各々を、画像効果または出力時間が指定された所定の出力態様で出力した後、更に画像効果または切替時間が指定された所定の切替態様で次の静止画像の出力に切り替えるようにして順次出力する手段として機能させるようにしても良い。また、判別処理ルーチンにより中央制御部１のＣＰＵを、動画像生成処理ルーチンにより順次出力される各々の静止画像について、他の静止画像との関連性を判別する手段として機能させるようにしても良い。また、出力態様特定処理ルーチンにより中央制御部１のＣＰＵを、判別処理ルーチンにより判別された他の静止画像との関連性に基づき、動画像生成処理ルーチンにより各静止画像を出力する際の出力態様と切替態様との組み合わせを特定する手段として機能させるようにしても良い。
【０１１６】
また、上記実施形態２にあっては、出力手段、関連性判別手段、出力態様特定手段としての機能を、中央制御部１の制御下にて、動画像生成部、判別部、出力態様特定部が駆動することにより実現される構成としたが、これに限られるものではなく、中央制御部１のＣＰＵによって所定のプログラム等が実行されることにより実現される構成としても良い。
すなわち、プログラムを記憶するプログラムメモリ（図示略）に、動画像生成処理ルーチン、判別処理ルーチン、出力態様特定処理ルーチンを含むプログラムを記憶しておく。そして、動画像生成処理ルーチンにより中央制御部１のＣＰＵを、複数の静止画像を、時間的に異なるタイミング又は空間的に異なる位置で出力する手段として機能させるようにしても良い。また、判別処理ルーチンにより中央制御部１のＣＰＵを、動画像生成処理ルーチンによる出力対象となる複数の静止画像の関連性を判別する手段として機能させるようにしても良い。また、出力態様特定処理ルーチンにより中央制御部１のＣＰＵを、判別処理ルーチンにより判別された関連性に基づき、動画像生成処理ルーチンにより複数の静止画像を出力する際に、時間的に異なるタイミングで出力させるか、又は空間的に異なる位置で出力させるか、のいずれかを特定する手段として機能させるようにしても良い。
【０１１７】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１１８】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の静止画像を出力する出力装置であって、
前記複数の静止画像の各々を、画像効果または出力時間が指定された所定の出力態様で出力した後、更に画像効果または切替時間が指定された所定の切替態様で次の静止画像の出力に切り替えるようにして順次出力する出力手段と、
前記出力手段により順次出力される各々の静止画像について、他の静止画像との関連性を判別する関連性判別手段と、
前記関連性判別手段により判別された他の静止画像との関連性に基づき、前記出力手段により各静止画像を出力する際の前記出力態様と前記切替態様との組み合わせを特定する出力態様特定手段と、
を備えることを特徴とする出力装置。
＜請求項２＞
前記関連性判別手段は、前記出力手段により順次出力される各々の静止画像について、他の静止画像との関連性の度合いを判別し、
前記出力態様特定手段は、前記関連性判別手段により判別された他の静止画像との関連性の度合いに基づき、前記出力手段により各静止画像を出力する際の画像効果の強度と再生時間または切替時間の長さの組み合わせを特定することを特徴とする請求項１に記載の出力装置。
＜請求項３＞
前記複数の静止画像の各々の時間情報を取得する時間情報取得手段を、更に備え、
前記関連性判別手段は、前記他の静止画像との関連性の度合いとして、前記時間情報取得手段により取得された互いの静止画像の時間情報の時間的な差の大きさを判別することを特徴とする請求項２に記載の出力装置。
＜請求項４＞
前記関連性判別手段は、前記他の静止画像との関連性の度合いとして、前記出力手段による出力順序が隣り合う２つの静止画像の時間情報の時間的な差の大きさを判別することを特徴とする請求項３に記載の出力装置。
＜請求項５＞
前記関連性判別手段は、前記他の静止画像との関連性の度合いとして、特定の静止画像を基準に各静止画像との時間情報の時間的な差の大きさを判別することを特徴とする請求項３に記載の出力装置。
＜請求項６＞
前記関連性判別手段は、前記時間情報の時間的な差の大きさを判別する対象となる他の静止画像が存在しない静止画像の場合、所定の方法で算出された値を当該時間的な差の大きさとして判別することを特徴とする請求項４又は５に記載の出力装置。
＜請求項７＞
前記出力態様特定手段は、前記関連性判別手段により判別された前記時間情報の時間的な差の大きさに応じて、前記出力態様を特定することを特徴とする請求項３〜６の何れか一項に記載の出力装置。
＜請求項８＞
前記出力態様特定手段は、前記関連性判別手段により判別された前記時間情報の時間的な差の大きさに応じて、複数の静止画像の各々を出力する際の前記出力時間を特定することを特徴とする請求項７に記載の出力装置。
＜請求項９＞
前記出力態様特定手段は、前記関連性判別手段により判別された前記時間情報の時間的な差の大きさに応じて、複数の静止画像の各々を出力する際の前記画像効果を特定することを特徴とする請求項７又は８に記載の出力装置。
＜請求項１０＞
前記出力態様特定手段は、前記関連性判別手段により判別された前記時間情報の時間的な差の大きさに応じて、次の静止画像の出力に切り替る際の前記切替態様を特定することを特徴とする請求項３〜９の何れか一項に記載の出力装置。
＜請求項１１＞
前記出力態様特定手段は、前記関連性判別手段により判別された前記時間情報の時間的な差の大きさに応じて、次の静止画像の出力をするまでの前記切替時間を特定することを特徴とする請求項１０に記載の出力装置。
＜請求項１２＞
前記出力態様特定手段は、前記関連性判別手段により判別された前記時間情報の時間的な差の大きさに応じて、次の静止画像の出力に切り替る際の前記画像効果を特定することを特徴とする請求項１０又は１１に記載の出力装置。
＜請求項１３＞
前記時間情報取得手段は、前記複数の静止画像の各々の撮影日時に係る時間情報を取得することを特徴とする請求項３〜１１の何れか一項に記載の出力装置。
＜請求項１４＞
複数の静止画像を出力する出力装置であって、
複数の静止画像を、時間的に異なるタイミング又は空間的に異なる位置で出力する出力手段と、
前記出力手段による出力対象となる複数の静止画像の関連性を判別する関連性判別手段と、
前記関連性判別手段により判別された関連性に基づき、前記出力手段により複数の静止画像を出力する際に、時間的に異なるタイミングで出力させるか、又は空間的に異なる位置で出力させるか、のいずれかを特定する出力態様特定手段と、
を備えることを特徴とする出力装置。
＜請求項１５＞
前記複数の静止画像は、所定の条件に基づきグループ化されたものであり、
前記複数の静止画像のグループは複数種類あり、
前記グループの種類を判別するグループ判別手段を、更に備え、
前記出力態様特定手段は、前記グループ判別手段により判別されたグループの種類に基づき、出力対象となる複数の静止画像を時間的に異なるタイミングで出力させるか、又は空間的に異なる位置で出力させるか、のいずれかを特定することを特徴とする請求項１４に記載の出力装置。
＜請求項１６＞
前記グループには、連写により撮影された複数の静止画像をグループ化した第１グループと、ブラケットにより撮影された複数の静止画像をグループ化した第２グループと、が含まれ、
前記出力態様特定手段は、前記グループ判別手段により判別されたグループが第１グループである場合、当該グループの複数の静止画像を時間的に異なるタイミングで切り替えて順次出力する態様を特定することを特徴とする請求項１５に記載の出力装置。
＜請求項１７＞
前記グループ判別手段により判別されたグループが第１グループである場合、当該グループの複数の静止画像の撮影間隔情報を取得する撮影間隔情報取得手段を更に備え、
前記出力態様特定手段は、前記撮影間隔情報に基づき、前記グループの複数の静止画像の出力時間と次の静止画像へ切り替える際の切替時間のうちの少なくとも何れか一方を特定することを特徴とする請求項１６に記載の出力装置。
＜請求項１８＞
前記出力態様特定手段は、前記グループ判別手段により判別されたグループが第２グループである場合、当該グループの複数の静止画像の各々を空間的に異なる位置で出力する態様を特定することを特徴とする請求項１７に記載の出力装置。
＜請求項１９＞
前記グループ判別手段により判別されたグループが第２グループである場合、ブラケットによる撮影の当該ブラケットの次元情報を取得する次元情報取得手段を更に備え、
前記出力態様特定手段は、前記次元情報に基づき、複数の静止画像の各々の空間的な位置が異なる配置パターンを特定することを特徴とする請求項１８に記載の出力装置。
＜請求項２０＞
複数の静止画像の各々を、画像効果または出力時間が指定された所定の出力態様で出力した後、更に画像効果または切替時間が指定された所定の切替態様で次の静止画像の出力に切り替えるようにして順次出力する処理と、
順次出力される各々の静止画像について、他の静止画像との関連性を判別する処理と、
判別された他の静止画像との関連性に基づき、各静止画像を出力する際の前記出力態様と前記切替態様との組み合わせを特定する処理と、
を含むことを特徴とする出力制御方法。
＜請求項２１＞
コンピュータに、
複数の静止画像の各々を、画像効果または出力時間が指定された所定の出力態様で出力した後、更に画像効果または切替時間が指定された所定の切替態様で次の静止画像の出力に切り替えるようにして順次出力する出力機能、
前記出力機能により順次出力される各々の静止画像について、他の静止画像との関連性を判別する関連性判別機能、
前記関連性判別機能により判別された他の静止画像との関連性に基づき、前記出力機能により各静止画像を出力する際の前記出力態様と前記切替態様との組み合わせを特定する出力態様特定機能と、
を実現させることを特徴とするプログラム。
＜請求項２２＞
複数の静止画像を、時間的に異なるタイミング又は空間的に異なる位置で出力する処理と、
出力対象となる複数の静止画像の関連性を判別する処理と、
判別された関連性に基づき、複数の静止画像を出力する際に、時間的に異なるタイミングで出力させるか、又は空間的に異なる位置で出力させるか、のいずれかを特定する処理と、
を含むことを特徴とする出力制御方法。
＜請求項２３＞
コンピュータに、
複数の静止画像を、時間的に異なるタイミング又は空間的に異なる位置で出力する出力機能、
前記出力機能による出力対象となる複数の静止画像の関連性を判別する関連性判別機能、
前記関連性判別機能により判別された関連性に基づき、前記出力機能により複数の静止画像を出力する際に、時間的に異なるタイミングで出力させるか、又は空間的に異なる位置で出力させるか、のいずれかを特定する出力態様特定機能、
を実現させることを特徴とするプログラム。
【符号の説明】
【０１１９】
１００、１００Ａ、２００  撮像装置
１      中央制御部
６      画像処理部
６ａ    指定部
６ｂ    取得部
６ｃ    判別部
６ｄ    出力態様特定部
６ｅ    出力態様特定テーブル
６ｆ    切替態様特定部
６ｇ    切替態様特定テーブル
６ｈ    動画像生成部
７      画像記録部
８      表示部
８ａ    表示パネル
８ｂ    表示制御部
９      操作入力部
【図１】
0006435904.tif 000002
【図２】
0006435904.tif 000003
【図３】
0006435904.tif 000004
【図４】
0006435904.tif 000005
【図５】
0006435904.tif 000006
【図６】
0006435904.tif 000007
【図７】
0006435904.tif 000008
【図８】
0006435904.tif 000009
【図９】
0006435904.tif 000010
【図１０】
0006435904.tif 000011
【図１１】
0006435904.tif 000012